(57)【要約】  【課題】  撮影時の手ぶれを軽減するために撮影者が撮影を意図したときに発するキーワードで確実にレリーズさせることができ、また、そのキーワードの登録を含むカメラの設定が容易にできるカメラを提供する。  【解決手段】  レリーズ信号が与えられたときに被写体像の画像データを生成するレリーズ回路１７と、キーワード音声を変換したキーワード音声信号が書き込まれる外部メモリ２１が装着されるメモリリーダ／ライタ２０と、前面マイク３からの音声が変換された前面音声信号または背面マイク６からの音声が変換された背面音声信号が外部メモリ２１から読み出したキーワード音声信号と同一であると認識した場合に、レリーズ回路１７にレリーズ信号を与え、レリーズ回路１７からの画像データを画像メモリ１６に記録するＣＰＵ１０を備える。【選択図】      図２
2005333581.tif 000002
【特許請求の範囲】
【請求項１】
撮影レンズを通して結像される被写体像を記録するカメラにおいて、
前記被写体像が結像され光信号を電気信号に変換するＣＣＤと、
レリーズ信号が与えられたときに前記ＣＣＤからの電気信号から前記被写体像の画像デ
ータを生成するレリーズ回路と、
カメラ本体の前面に設けられた第１のマイクと、
第１のマイクから入力された音声をデジタル変換して第１の音声信号にする第１のＡ／
Ｄコンバータと、
カメラ本体の背面に設けられた第２のマイクと、
第２のマイクから入力された音声をデジタル変換して第２の音声信号にする第２のＡ／
Ｄコンバータと、
第１のマイクまたは第２のマイクから入力された第１のキーワード音声を第１のＡ／Ｄ
コンバータまたは第２のＡ／Ｄコンバータでデジタル変換した第１のキーワード音声信号
が予め登録されるキーワード登録メモリと、
第１のマイクまたは第２のマイクから入力された第２のキーワード音声を第１のＡ／Ｄ
コンバータまたは第２のＡ／Ｄコンバータでデジタル変換した第２のキーワード音声信号
とカメラの動作環境及び撮影条件を設定するための設定情報とが書き込まれる着脱自在な
外部メモリが装着されるメモリリーダ／ライタと、
撮影モードを、レリーズ要求直後にレリーズを行う通常モードとレリーズ要求があった
ときから所定時間後にレリーズを行うセルフタイマーモードに切り換える撮影モード切換
キーと、
前記メモリリーダ／ライタに前記外部メモリが装着されていない場合であって、前記通
常モードの場合には第２の音声信号が前記キーワード登録メモリに登録されている第１の
キーワード音声信号と同一であると認識したときに、また、前記セルフタイマーモードの
場合には第１の音声信号が前記キーワード登録メモリに登録されている第１のキーワード
音声信号と同一であると認識したときから前記所定時間後に、前記レリーズ回路にレリー
ズ信号を与え、前記メモリリーダ／ライタに前記外部メモリが装着されている場合であっ
て、前記通常モードの場合には第２の音声信号が前記外部メモリから読み出した第２のキ
ーワード音声信号と同一であると認識したときに、また、前記セルフタイマーモードの場
合には第１の音声信号が前記外部メモリから読み出した第２のキーワード音声信号と同一
であると認識したときから前記所定時間後に、前記レリーズ回路にレリーズ信号を与え、
前記レリーズ回路からの画像データを画像メモリに記録するとともに、前記外部メモリか
ら読み出した設定情報に基づいてカメラの動作環境及び撮影条件を設定するＣＰＵと、
を具備したことを特徴とするカメラ。
【請求項２】
撮影レンズを通して結像される被写体像を記録するカメラにおいて、
レリーズ信号が与えられたときに前記被写体像を記録手段に与えて記録させるレリーズ
手段と、
前記撮影レンズを被写体に向けたときに撮影者と対向する面に設けられたマイクと、
前記マイクから入力された音声をデジタル変換して音声信号にするＡ／Ｄコンバータと
、
前記マイクから入力された第１のキーワード音声を前記Ａ／Ｄコンバータでデジタル変
換した第１のキーワード音声信号が予め登録されるキーワード登録手段と、
前記マイクから入力された第２のキーワード音声を前記Ａ／Ｄコンバータでデジタル変
換した第２のキーワード音声信号が書き込まれる着脱自在な外部メモリが装着されるメモ
リリーダ／ライタと、
前記メモリリーダ／ライタに前記外部メモリが装着されていない場合には、前記Ａ／Ｄ
コンバータからの音声信号が前記キーワード登録手段に登録されている第１のキーワード
音声信号と同一であると認識したときに、また、前記メモリリーダ／ライタに前記外部メ
モリが装着されている場合には、前記Ａ／Ｄコンバータからの音声信号が前記外部メモリ
から読み出した第２のキーワード音声信号と同一であると認識したときに、前記レリーズ
手段にレリーズ信号を与える制御手段と、
を具備したことを特徴とするカメラ。
【請求項３】
撮影レンズを通して結像される被写体像を記録するカメラにおいて、
レリーズ信号が与えられたときに前記被写体像を記録手段に与えて記録させるレリーズ
手段と、
カメラ本体の前面に設けられた第１のマイクと、
第１のマイクから入力された音声をデジタル変換して第１の音声信号にする第１のＡ／
Ｄコンバータと、
カメラ本体の背面に設けられた第２のマイクと、
第２のマイクから入力された音声をデジタル変換して第２の音声信号にする第２のＡ／
Ｄコンバータと、
第１のマイクまたは第２のマイクから入力された第１のキーワード音声を第１のＡ／Ｄ
コンバータまたは第２のＡ／Ｄコンバータでデジタル変換した第１のキーワード音声信号
が予め登録されるキーワード登録手段と、
第１のマイクまたは第２のマイクから入力された第２のキーワード音声を第１のＡ／Ｄ
コンバータまたは第２のＡ／Ｄコンバータでデジタル変換した第２のキーワード音声信号
が書き込まれる着脱自在な外部メモリが装着されるメモリリーダ／ライタと、
撮影モードを、レリーズ要求直後にレリーズを行う通常モードとレリーズ要求があった
ときから所定時間後にレリーズを行うセルフタイマーモードに切り換える撮影モード切換
手段と、
前記メモリリーダ／ライタに前記外部メモリが装着されていない場合であって、前記通
常モードの場合には第２の音声信号が前記キーワード登録手段に登録されている第１のキ
ーワード音声信号と同一であると認識したときに、また、前記セルフタイマーモードの場
合には第１の音声信号が前記キーワード登録手段に登録されている第１のキーワード音声
信号と同一であると認識したときから前記所定時間後に、前記レリーズ回路にレリーズ信
号を与え、前記メモリリーダ／ライタに前記外部メモリが装着されている場合であって、
前記通常モードの場合には第２の音声信号が前記外部メモリから読み出した第２のキーワ
ード音声信号と同一であると認識したときに、また、前記セルフタイマーモードの場合に
は第１の音声信号が前記外部メモリから読み出した第２のキーワード音声信号と同一であ
ると認識したときから前記所定時間後に、前記レリーズ回路にレリーズ信号を与える制御
手段と、
を具備したことを特徴とするカメラ。
【請求項４】
前記外部メモリには、カメラの動作環境及び撮影条件を設定するための設定情報が書き
込まれ、前記制御手段は、前記外部メモリから読み出した設定情報に基づいてカメラの動
作環境及び撮影条件を設定することを特徴とする請求項２または請求項３に記載のカメラ
。
【請求項５】
前記被写体像が結像され光信号を電気信号に変換する光電変換手段を備え、前記レリー
ズ手段は、レリーズ信号が与えられたときに前記光電変換手段からの電気信号から前記被
写体像の画像データを生成して前記制御手段に与え、前記制御手段は、与えられた画像デ
ータを前記記録手段としての画像メモリに記録することを特徴とする請求項２〜請求項４
のいずれかに記載のカメラ。
【請求項６】
前記光電変換手段がＣＣＤであり、前記レリーズ手段が前記ＣＣＤからの電気信号を画
像データに変換するレリーズ回路であり、前記キーワード登録手段がキーワード登録メモ
リであり、前記撮影モード切換手段が撮影モード切換キーであり、前記制御手段がＣＰＵ
であることを特徴とする請求項５に記載のカメラ。
【発明の詳細な説明】
【技術分野】
【０００１】
本発明は、シャッタを駆動して被写体像や電磁波・粒子線のパターンをフィルムに写し
取る、又は、同像や同パターンをＣＣＤ（Charge Coupled Device：電荷結合素子）等に
よって電気信号に変換してメモリに記録するカメラに関し、特に、撮影時の手ぶれを軽減
することのできるカメラに関する。
【背景技術】
【０００２】
被写体像や電磁波・粒子線のパターンをフィルムに写し取る、いわゆる銀塩カメラはポ
ートレート撮影やＸ線撮影などに広く用いられてきたが、近年、ＣＣＤやメモリを搭載し
てこれらの像やパターンを電子的に記録する、いわゆるデジタルカメラ（電子スチルカメ
ラ、ともいう）も、画像加工や配布の容易さ等の特徴からよく用いられるようになってき
た。
【０００３】
銀塩カメラにおいて、レリーズボタンは、機械的にシャッタを駆動するものであり、レ
リーズボタンを押動することによりシャッタが駆動されてフイルムに画像等が記録される
。一方、デジタルカメラにおいて、レリーズボタンは、電気的なシャッタを駆動してＣＣ
Ｄに撮像された被写体像等をデジタルカメラに設けられたメモリに格納するための動作を
行わせるものであり、レリーズボタンを押動することにより被写体像等が画像データとし
てメモリに格納される。以下、このように機械的または電気的なシャッタを駆動させて被
写体像等を記録する動作のことを単にレリーズという。
【０００４】
従来の銀塩カメラやデジタルカメラは、いずれも被写体にレンズを向けてレリーズボタ
ンを押すという操作を行うものであり、このレリーズボタンは機械的なスイッチで構成さ
れているため、例えば、図６に示すように、レリーズボタン５０の押し下げ時に、カメラ
５１全体が右に回転してしまい、いわゆる手ぶれを起こすことがある。手ぶれが発生する
と、いわゆるピントぼけになり、写真の画質が損なわれてしまうという問題点があった。
特に、フィルムサイズの大きい銀塩カメラや画素数の多いデジタルカメラにおいては、極
めてわずかな手ぶれであっても画質に与える影響は大きくなる。
【０００５】
また、近年では、カメラの重量が軽くなる方向にあるため、最近のカメラは携帯性の向
上の見返りとして安定性が欠如する方向にあり、手ぶれが起き易くなっているのも事実で
ある。その上、小型で高倍率なズームレンズを用いる場合、どうしても解放Ｆ値の大きい
、暗いレンズを使用せざる得ず、更に手ぶれの影響が大きくなる。
【０００６】
この手ぶれを防ぐため、レリーズボタンを軽くしたり、レリーズボタンとしてタッチセ
ンサを使用したりするということが考えられる。
【０００７】
また、撮影時の手ぶれ情報に基づいて新規画像データに重要度情報を付加して記憶媒体
に記憶する記憶手段を備えたディジタルカメラがある（例えば、特許文献１参照）。
【０００８】
また、連写機能を有する電子カメラにおいて、連写撮影時の手振れ状態の検知結果を示
す手振れ情報を連写画像データとともに記録し、再生時に、付加された手振れ情報に基づ
いて手振れ補正処理を実行するものがある（例えば、特許文献２参照）。
【０００９】
また、半導体メモリが内蔵されたメモリカードに記録された情報に基づき、機器設定や
撮像条件設定を実行することのできる画像撮像機器がある（例えば、特許文献３参照）。
【特許文献１】特開２０００−３４１６２０号公報
【特許文献２】特開２０００−２９９８１３号公報
【特許文献３】特開２０００−１３６６９号公報
【発明の開示】
【発明が解決しようとする課題】
【００１０】
しかしながら、手ぶれを防ぐため、レリーズボタンを軽くしたり、レリーズボタンとし
てタッチセンサを使用したりすると、レリーズボタンが容易に押動されてしまうので、撮
影者が撮影を意図していないときに、レリーズされてしまうという問題がある。
【００１１】
そこで、これを解決するために、レリーズボタンを押す代わりに音声によってレリーズ
させるということが考えられる。レリーズさせるためのキーワードとなる音声をカメラに
登録しておき、カメラに設けられたマイクに向かって、その登録されたキーワードを発声
するとカメラがレリーズするようにすれば、撮影時にレリーズボタンを押すことがなくな
るので、手ぶれを防ぐことができる。
【００１２】
この場合、カメラに登録されるキーワードは、固定のキーワード、例えば、「レリーズ
」というようなありきたりのキーワードにすることも考えられるが、その場合、撮影者以
外の人がそのキーワードを発すると、撮影者が意図していないにも拘わらずレリーズされ
てしまうという問題や、撮影者によってはその固定のキーワードは覚えにくいということ
もあるので、キーワードは利用者の好みのキーワードが登録できるようにすると良い。
【００１３】
しかしながら、カメラに利用者の好みのキーワードを登録するようにすると、音声でレ
リーズが行える同種類のカメラであっても、そのカメラにキーワードを登録しなければ、
音声でレリーズさせることができないことになる。即ち、同種類のカメラであっても、い
ちいちカメラ毎にキーワードを登録しなければならず、面倒であるという問題があった。
【００１４】
また、特許文献１に記載の従来技術は、画像データの管理を手ぶれ情報に基づく重要度
情報によって行えるようにしたものであり、撮影時に手ぶれが発生した画像データを削除
するというような画像データの管理は容易になるが、撮影時の手ぶれを防止または軽減す
るものではない。
【００１５】
また、特許文献２に記載の従来技術は、連写撮影時に手振れが発生した画像データに、
その発生した手振れ情報に基づく手振れ補正処理を実行することにより、結果的に、再生
される画像データを高画質にするものであり、撮影時の手ぶれを防止または軽減すること
はできない。
【００１６】
また、特許文献３に記載の従来技術は、メモリカードを装着することにより画像撮像装
置の機器設定や撮像条件設定を実行することはできるが、撮影時の手ぶれを防止または軽
減するものではなく、また、手ぶれを軽減するために撮影者の発するキーワードでレリー
ズさせるそのキーワードを設定できるものでもない。
【００１７】
本発明は、上記のような問題点を解決するためになされたもので、撮影時の手ぶれを軽
減するために撮影者が撮影を意図したときに発するキーワードで確実にレリーズさせるこ
とができ、また、そのキーワードの登録を含むカメラの設定が容易にできるカメラを提供
することを目的とする。
【課題を解決するための手段】
【００１８】
上記目的を達成するために、請求項１の発明は、撮影レンズを通して結像される被写体
像を記録するカメラにおいて、前記被写体像が結像され光信号を電気信号に変換するＣＣ
Ｄと、レリーズ信号が与えられたときに前記ＣＣＤからの電気信号から前記被写体像の画
像データを生成するレリーズ回路と、カメラ本体の前面に設けられた第１のマイクと、第
１のマイクから入力された音声をデジタル変換して第１の音声信号にする第１のＡ／Ｄコ
ンバータと、カメラ本体の背面に設けられた第２のマイクと、第２のマイクから入力され
た音声をデジタル変換して第２の音声信号にする第２のＡ／Ｄコンバータと、第１のマイ
クまたは第２のマイクから入力された第１のキーワード音声を第１のＡ／Ｄコンバータま
たは第２のＡ／Ｄコンバータでデジタル変換した第１のキーワード音声信号が予め登録さ
れるキーワード登録メモリと、第１のマイクまたは第２のマイクから入力された第２のキ
ーワード音声を第１のＡ／Ｄコンバータまたは第２のＡ／Ｄコンバータでデジタル変換し
た第２のキーワード音声信号とカメラの動作環境及び撮影条件を設定するための設定情報
とが書き込まれる着脱自在な外部メモリが装着されるメモリリーダ／ライタと、撮影モー
ドを、レリーズ要求直後にレリーズを行う通常モードとレリーズ要求があったときから所
定時間後にレリーズを行うセルフタイマーモードに切り換える撮影モード切換キーと、前
記メモリリーダ／ライタに前記外部メモリが装着されていない場合であって、前記通常モ
ードの場合には第２の音声信号が前記キーワード登録メモリに登録されている第１のキー
ワード音声信号と同一であると認識したときに、また、前記セルフタイマーモードの場合
には第１の音声信号が前記キーワード登録メモリに登録されている第１のキーワード音声
信号と同一であると認識したときから前記所定時間後に、前記レリーズ回路にレリーズ信
号を与え、前記メモリリーダ／ライタに前記外部メモリが装着されている場合であって、
前記通常モードの場合には第２の音声信号が前記外部メモリから読み出した第２のキーワ
ード音声信号と同一であると認識したときに、また、前記セルフタイマーモードの場合に
は第１の音声信号が前記外部メモリから読み出した第２のキーワード音声信号と同一であ
ると認識したときから前記所定時間後に、前記レリーズ回路にレリーズ信号を与え、前記
レリーズ回路からの画像データを画像メモリに記録するとともに、前記外部メモリから読
み出した設定情報に基づいてカメラの動作環境及び撮影条件を設定するＣＰＵとを具備し
たものである。
【００１９】
この構成によれば、メモリリーダ／ライタに外部メモリが装着されていない場合であっ
て、撮影モード切換キーにより切り換えられた撮影モードが通常モードの場合、ＣＰＵは
、第２のＡ／Ｄコンバータからの第２の音声信号とキーワード登録メモリに登録されてい
る第１のキーワード音声信号とを比較し、同一であると認識したときにレリーズ回路にレ
リーズ信号を与え、撮影モードがセルフタイマーモードの場合、ＣＰＵは、第１のＡ／Ｄ
コンバータからの第１の音声信号とキーワード登録メモリに登録されている第１のキーワ
ード音声信号とを比較し、同一であると認識したときから所定時間後にレリーズ回路にレ
リーズ信号を与える。
【００２０】
また、メモリリーダ／ライタに外部メモリが装着されている場合であって、撮影モード
が通常モードの場合、ＣＰＵは、第２のＡ／Ｄコンバータからの第２の音声信号と外部メ
モリから読み出した第２のキーワード音声信号とを比較し、同一であると認識したときに
レリーズ回路にレリーズ信号を与え、撮影モードがセルフタイマーモードの場合、ＣＰＵ
は、第１のＡ／Ｄコンバータからの第１の音声信号と外部メモリから読み出した第２のキ
ーワード音声信号とを比較し、同一であると認識したときから所定時間後にレリーズ回路
にレリーズ信号を与える。
【００２１】
そして、レリーズ信号が与えられたレリーズ回路は、ＣＣＤからの電気信号からそのと
きＣＣＤに結像されている被写体像の画像データを生成してＣＰＵに与え、ＣＰＵはその
画像データを画像メモリに記録する。また、ＣＰＵは、外部メモリから読み出した設定情
報に基づいてカメラの動作環境及び撮影条件を設定する。
【００２２】
請求項２の発明は、撮影レンズを通して結像される被写体像を記録するカメラにおいて
、レリーズ信号が与えられたときに前記被写体像を記録手段に与えて記録させるレリーズ
手段と、前記撮影レンズを被写体に向けたときに撮影者と対向する面に設けられたマイク
と、前記マイクから入力された音声をデジタル変換して音声信号にするＡ／Ｄコンバータ
と、前記マイクから入力された第１のキーワード音声を前記Ａ／Ｄコンバータでデジタル
変換した第１のキーワード音声信号が予め登録されるキーワード登録手段と、前記マイク
から入力された第２のキーワード音声を前記Ａ／Ｄコンバータでデジタル変換した第２の
キーワード音声信号が書き込まれる着脱自在な外部メモリが装着されるメモリリーダ／ラ
イタと、前記メモリリーダ／ライタに前記外部メモリが装着されていない場合には、前記
Ａ／Ｄコンバータからの音声信号が前記キーワード登録手段に登録されている第１のキー
ワード音声信号と同一であると認識したときに、また、前記メモリリーダ／ライタに前記
外部メモリが装着されている場合には、前記Ａ／Ｄコンバータからの音声信号が前記外部
メモリから読み出した第２のキーワード音声信号と同一であると認識したときに、前記レ
リーズ手段にレリーズ信号を与える制御手段とを具備したものである。
【００２３】
この構成によれば、制御手段は、メモリリーダ／ライタに外部メモリが装着されていな
い場合には、Ａ／Ｄコンバータからの音声信号とキーワード登録メモリに登録されている
第１のキーワード音声信号とを比較し、同一であると認識したときにレリーズ回路にレリ
ーズ信号を与え、メモリリーダ／ライタに外部メモリが装着されている場合には、Ａ／Ｄ
コンバータからの音声信号と外部メモリから読み出した第２のキーワード音声信号とを比
較し、同一であると認識したときにレリーズ回路にレリーズ信号を与える。そして、レリ
ーズ信号が与えられたレリーズ回路は、そのとき撮影レンズを通して結像されている被写
体像を記録手段に与えて記録させる。
【００２４】
請求項３の発明は、撮影レンズを通して結像される被写体像を記録するカメラにおいて
、レリーズ信号が与えられたときに前記被写体像を記録手段に与えて記録させるレリーズ
手段と、カメラ本体の前面に設けられた第１のマイクと、第１のマイクから入力された音
声をデジタル変換して第１の音声信号にする第１のＡ／Ｄコンバータと、カメラ本体の背
面に設けられた第２のマイクと、第２のマイクから入力された音声をデジタル変換して第
２の音声信号にする第２のＡ／Ｄコンバータと、第１のマイクまたは第２のマイクから入
力された第１のキーワード音声を第１のＡ／Ｄコンバータまたは第２のＡ／Ｄコンバータ
でデジタル変換した第１のキーワード音声信号が予め登録されるキーワード登録手段と、
第１のマイクまたは第２のマイクから入力された第２のキーワード音声を第１のＡ／Ｄコ
ンバータまたは第２のＡ／Ｄコンバータでデジタル変換した第２のキーワード音声信号が
書き込まれる着脱自在な外部メモリが装着されるメモリリーダ／ライタと、撮影モードを
、レリーズ要求直後にレリーズを行う通常モードとレリーズ要求があったときから所定時
間後にレリーズを行うセルフタイマーモードに切り換える撮影モード切換手段と、前記メ
モリリーダ／ライタに前記外部メモリが装着されていない場合であって、前記通常モード
の場合には第２の音声信号が前記キーワード登録手段に登録されている第１のキーワード
音声信号と同一であると認識したときに、また、前記セルフタイマーモードの場合には第
１の音声信号が前記キーワード登録手段に登録されている第１のキーワード音声信号と同
一であると認識したときから前記所定時間後に、前記レリーズ回路にレリーズ信号を与え
、前記メモリリーダ／ライタに前記外部メモリが装着されている場合であって、前記通常
モードの場合には第２の音声信号が前記外部メモリから読み出した第２のキーワード音声
信号と同一であると認識したときに、また、前記セルフタイマーモードの場合には第１の
音声信号が前記外部メモリから読み出した第２のキーワード音声信号と同一であると認識
したときから前記所定時間後に、前記レリーズ回路にレリーズ信号を与える制御手段とを
具備したものである。
【００２５】
この構成によれば、メモリリーダ／ライタに外部メモリが装着されていない場合であっ
て、撮影モード切換手段により切り換えられた撮影モードが通常モードの場合、制御手段
は、第２のＡ／Ｄコンバータからの第２の音声信号とキーワード登録手段に登録されてい
る第１のキーワード音声信号とを比較し、同一であると認識したときにレリーズ手段にレ
リーズ信号を与え、撮影モードがセルフタイマーモードの場合、制御手段は、第１のＡ／
Ｄコンバータからの第１の音声信号とキーワード登録手段に登録されている第１のキーワ
ード音声信号とを比較し、同一であると認識したときから所定時間後にレリーズ手段にレ
リーズ信号を与える。
【００２６】
また、メモリリーダ／ライタに外部メモリが装着されている場合であって、撮影モード
が通常モードの場合、制御手段は、第２のＡ／Ｄコンバータからの第２の音声信号と外部
メモリから読み出した第２のキーワード音声信号とを比較し、同一であると認識したとき
にレリーズ手段にレリーズ信号を与え、撮影モードがセルフタイマーモードの場合、制御
手段は、第１のＡ／Ｄコンバータからの第１の音声信号と外部メモリから読み出した第２
のキーワード音声信号とを比較し、同一であると認識したときから所定時間後にレリーズ
手段にレリーズ信号を与える。そして、レリーズ信号が与えられたレリーズ手段は、その
とき撮影レンズを通して結像されている被写体像を記録手段に与えて記録させる。
【００２７】
請求項４の発明では、請求項２または請求項３の発明において、前記外部メモリには、
カメラの動作環境及び撮影条件を設定するための設定情報が書き込まれ、前記制御手段は
、前記外部メモリから読み出した設定情報に基づいてカメラの動作環境及び撮影条件を設
定するようにしている。
【００２８】
この構成によれば、同種類の他のカメラを使用する場合、外部メモリを前記他のカメラ
のメモリリーダ／ライタに装着することにより、前記他のカメラの動作環境及び撮影条件
の設定を外部メモリに書き込まれている設定情報に基づいて行わせることができるので、
カメラの動作環境及び撮影条件の設定変更の手間を軽減することができる。
【００２９】
請求項５の発明では、請求項２〜請求項４のいずれかの発明において、前記被写体像が
結像され光信号を電気信号に変換する光電変換手段を備え、前記レリーズ手段は、レリー
ズ信号が与えられたときに前記光電変換手段からの電気信号から前記被写体像の画像デー
タを生成して前記制御手段に与え、前記制御手段は、与えられた画像データを前記記録手
段としての画像メモリに記録するようにしている。
【００３０】
この構成によれば、レリーズ信号が与えられたレリーズ手段は、光電変換手段からの電
気信号からそのとき光電変換手段に結像されている被写体像の画像データを生成して制御
手段に与え、制御手段はその画像データを画像メモリに記録する。
【００３１】
請求項６の発明では、請求項５の発明において、前記光電変換手段がＣＣＤであり、前
記レリーズ手段が前記ＣＣＤからの電気信号を画像データに変換するレリーズ回路であり
、前記キーワード登録手段がキーワード登録メモリであり、前記撮影モード切換手段が撮
影モード切換キーであり、前記制御手段がＣＰＵであることを特徴とする。
【００３２】
この構成によれば、メモリリーダ／ライタに外部メモリが装着されていない場合であっ
て、撮影モード切換キーにより切り換えられた撮影モードが通常モードの場合、ＣＰＵは
、第２のＡ／Ｄコンバータからの第２の音声信号とキーワード登録メモリに登録されてい
る第１のキーワード音声信号とを比較し、同一であると認識したときにレリーズ回路にレ
リーズ信号を与え、撮影モードがセルフタイマーモードの場合、ＣＰＵは、第１のＡ／Ｄ
コンバータからの第１の音声信号とキーワード登録メモリに登録されている第１のキーワ
ード音声信号とを比較し、同一であると認識したときから所定時間後にレリーズ回路にレ
リーズ信号を与える。
【００３３】
また、メモリリーダ／ライタに外部メモリが装着されている場合であって、撮影モード
が通常モードの場合、ＣＰＵは、第２のＡ／Ｄコンバータからの第２の音声信号と外部メ
モリから読み出した第２のキーワード音声信号とを比較し、同一であると認識したときに
レリーズ回路にレリーズ信号を与え、撮影モードがセルフタイマーモードの場合、ＣＰＵ
は、第１のＡ／Ｄコンバータからの第１の音声信号と外部メモリから読み出した第２のキ
ーワード音声信号とを比較し、同一であると認識したときから所定時間後にレリーズ回路
にレリーズ信号を与える。
【００３４】
そして、レリーズ信号が与えられたレリーズ回路は、ＣＣＤからの電気信号からそのと
きＣＣＤに結像されている被写体像の画像データを生成してＣＰＵに与え、ＣＰＵはその
画像データを画像メモリに記録する。また、ＣＰＵは、外部メモリから読み出した設定情
報に基づいてカメラの動作環境及び撮影条件を設定する。
【発明の効果】
【００３５】
以上のように本発明によれば、キーワード音声により被写体像を記録することができる
ので、撮影者は、撮影モードが通常モードの場合、被写体に向けてカメラを構えている時
に、レリーズボタンを押す代わりに、キーワード音声を発声することにより、被写体像を
記録することができる。即ち、レリーズボタンを押下することなく、カメラにレリーズを
行わせることができるので、撮影時の手ぶれの発生を軽減することができる。
【００３６】
また、この通常モードの場合、撮影者の発するキーワード音声が入力されるマイクは、
撮影者に対向しているカメラ本体の背面に設けられているマイクであるので、被写体側に
騒音源がある場合であっても、背面のマイクにはその騒音源からの騒音は入力されにくく
なり、撮影者の発する音声は入力されやすくなる。従って、撮影者の発する音声がその騒
音源からの騒音にかき消されるというようなことがなくなり、撮影者の発するキーワード
音声を確実に判別することができるので、キーワードが発せられたときにレリーズを確実
に行わせることができる。また、その騒音によって、誤ってレリーズが行われるという誤
動作が発生することもなくなる。
【００３７】
また、撮影モードがセルフタイマーモードである場合、被写体となる撮影者は、レリー
ズボタンを押す代わりに、撮影者に対向しているカメラ本体の前面に向かって、キーワー
ド音声を発声することにより、発声したときから所定時間後にレリーズを行わせることが
できる。即ち、レリーズボタンを押下することなく、且つ、遠隔制御器等を用いることな
く、カメラにセルフタイマーのカウントダウンを遠隔位置から開始させることができるの
で、カメラのコストを上昇させることなく利便性を向上させることができる。
【００３８】
また、セルフタイマーモードである場合、撮影者の発するキーワード音声が入力される
マイクは、被写体に対向しているカメラ本体の前面に設けられているマイクであるので、
被写体側に位置する撮影者の発する音声は入力されやすくなる。従って、撮影者の発する
キーワードを判別することが容易となり、キーワードが発せられたときにセルフタイマー
のカウントダウンを開始させることが容易にできる。
【００３９】
また、レリーズを行わせることのできるキーワードは、カメラのメモリリーダ／ライタ
に外部メモリを装着した場合は、その外部メモリに書き込まれているキーワードとなるの
で、同種類の他のカメラを使用する場合、前記他のカメラにキーワードを登録せずとも、
外部メモリを前記他のカメラのメモリリーダ／ライタに装着することにより、前記他のカ
メラに音声によるレリーズを行わせることができる。即ち、カメラへのキーワード登録の
手間を軽減することができる。
【００４０】
また、カメラの動作環境及び撮影条件の設定を外部メモリに書き込まれている設定情報
に基づいて行わせることができるので、カメラの動作環境及び撮影条件の設定変更の手間
を軽減することができる。
【００４１】
また、被写体像が結像され光信号を電気信号に変換する光電変換手段を備え、レリーズ
手段は、レリーズ信号が与えられたときに前記光電変換手段からの電気信号から前記被写
体像の画像データを生成して制御手段に与え、前記制御手段は、与えられた画像データを
記録手段としての画像メモリに記録するので、前記被写体像をデジタル化した画像データ
として記録することができる。
【００４２】
また、前記光電変換手段をＣＣＤとし、前記レリーズ手段を前記ＣＣＤからの電気信号
を画像データに変換するレリーズ回路とし、前記キーワード登録手段をキーワード登録メ
モリとし、前記撮影モード切換手段を撮影モード切換キーとし、前記記録手段を画像メモ
リとし、前記制御手段をＣＰＵとしたので、音声でレリーズさせることにより手ぶれを軽
減し、レリーズさせるキーワードの登録を含むカメラの設定の手間を軽減することができ
、被写体像をデジタル化した画像データとして記録するデジタル式のカメラが実現できる
。
【発明を実施するための最良の形態】
【００４３】
以下、添付図面を参照しつつ、本発明の実施の形態について説明する。図１は本発明の
一実施形態に係るデジタルカメラの外観を示す斜視図であり、（ａ）はカメラの前面から
見た場合の斜視図、（ｂ）はカメラの背面から見た場合の斜視図である。
【００４４】
図１に示すデジタルカメラ１は、図１（ａ）に示すように、その前面に、撮影レンズ２
ａを支持するレンズ鏡筒２、集音用の前面マイク３、及びファインダ用の採光窓４を備え
ている。また、図１に示すデジタルカメラ１は、図１（ｂ）に示すように、その背面に、
動作状態や設定等を文字やアイコン等で示したり画像を表示したりする液晶表示器５、集
音用の背面マイク６、ファインダ７、及び、撮影モードの変更や撮影条件の設定等に用い
られる操作キー８を備えている。この操作キー８は、上下左右の矢印キーと中央部に位置
する設定／決定キーから構成されている。
【００４５】
更に、図１に示すデジタルカメラ１は、その上面端部にレリーズボタン９と、側面部に
コンパクトフラッシュ（登録商標）やＳＤカードというような着脱自在な外部メモリ２１
を内部のメモリリーダ／ライタ２０（図２参照）に挿入するための挿入口２０ａを備えて
いる。
【００４６】
図２は、図１に示すデジタルカメラ１の構成を示すブロック図である。説明の便宜上、
図１と同一の部分には同一の符号を付している。図２において、１０はＣＰＵであり、Ｃ
ＰＵ１０は、デジタルカメラ１の電源がオンされると、ＣＰＵ１０の制御プログラムであ
るファームウェアが書き込まれているフラッシュメモリ等のファームウェアＲＯＭ１４か
らこのファームウェアを読み出し、読み出したファームウェアに基づいてデジタルカメラ
１全体の制御を行う。
【００４７】
また、ＣＰＵ１０には、レリーズボタン９及び操作キー８のキー操作信号や、前面マイ
ク３から入力された音声等がＡ／Ｄコンバータ１２でデジタル変換された前面音声信号、
及び、背面マイク６から入力された音声等がＡ／Ｄコンバータ１３でデジタル変換された
背面音声信号が入力される。
【００４８】
また、デジタルカメラ１は、図１に示す鏡筒２内部にある撮影レンズ２ａを含む撮像光
学系を通って入射される被写体からの反射光を電気信号に変換するＣＣＤ１１と、レリー
ズ信号が与えられたときにＣＣＤ１１からの電気信号からＣＣＤ１１に結像されている被
写体像の画像データを生成し、生成した画像データをＣＰＵ１０に与えるレリーズ回路１
７を備えている。即ち、このレリーズ回路１７は、電気的なシャッタ機能を有している。
【００４９】
レリーズが行われるとき、ＣＰＵ１０は、前記レリーズ信号をレリーズ回路１７に与え
、レリーズ回路１７から送られてきた画像データを画像メモリ１６に保存する。また、Ｃ
ＰＵ１０は、操作キー８等の操作に応じて、画像メモリ１６に保存されている画像データ
を読み出して液晶表示器５に表示する。尚、画像メモリ１６に保存される画像データには
、ＣＰＵ１０により圧縮等の所定の信号処理が施される。
【００５０】
また、デジタルカメラ１は、ＥＥＰＲＯＭまたはフラッシュメモリから成る不揮発性の
キーワード登録メモリ１５と、外部メモリ２１が装着されるメモリリーダ／ライタ２０を
有し、ＣＰＵ１０は、メモリリーダ／ライタ２０を介して、装着された外部メモリ２１か
らデータを読み出したり、その外部メモリ２１にデータを書き込んだりする。また、ＣＰ
Ｕ１０は、音声によるレリーズに用いられるキーワード音声がデジタル変換されたキーワ
ード音声信号をキーワード登録メモリ１５に登録（保存）する。また、キーワード音声が
デジタル変換されたキーワード音声信号は、メモリリーダ／ライタ２０に外部メモリ２１
が装着されている場合は、その外部メモリ２１にも書き込まれる。
【００５１】
次に、このような構成のデジタルカメラ１の動作を図３乃至図５を参照して説明する。
図３は、デジタルカメラ１の初期設定動作を説明するためのフローチャートであり、図４
及び図５は、デジタルカメラ１の撮影時の動作を説明するためのフローチャートである。
【００５２】
先ず、図３を参照してデジタルカメラ１の初期設定動作を説明する。デジタルカメラ１
の電源がオンされると、ＣＰＵ１０はファームウェアＲＯＭ１４から制御に必要なファー
ムウェアを読み出す（ステップＳ１）。
【００５３】
このとき、デジタルカメラ１の動作環境及び撮影条件は、ファームウェアＲＯＭ１４か
ら読み出したファームウェアに含まれるデフォルトの設定情報に基づいて初期設定される
。この設定情報は、液晶表示器５に表示する言語の設定や図示しないスピーカから発せら
れる音声の言語の設定等、デジタルカメラ１の動作環境を設定するための情報と、ホワイ
トバランス、露光、絞り、ストロボ設定等のデジタルカメラ１の撮影条件を設定するため
の情報とから成る。
【００５４】
次に、ＣＰＵ１０は、メモリリーダ／ライタ２０に外部メモリ２１が装着されているか
どうかを確認する（ステップＳ２）。そして、外部メモリ２１が装着されていない場合、
音声によりレリーズを開始させるためのキーワード音声信号がキーワード登録メモリ１５
に登録されているかどうかを確認する（ステップＳ３）。
【００５５】
キーワード登録メモリ１５に既にキーワード音声信号が登録されている場合は、以上で
デジタルカメラ１の初期設定が完了する。一方、キーワード登録メモリ１５にキーワード
音声信号が登録されていない場合は、キーワード登録メモリ１５のキーワード登録処理に
入り、先ず、ＣＰＵ１０は背面マイク６からの音声入力待ち状態となる（ステップＳ４）
。
【００５６】
次に、ＣＰＵ１０は、背面マイク６から入力された撮影者の音声、例えば、「はい、チ
ーズ」、或いは「スタート」というようなキーワード音声がＡ／Ｄコンバータ１３でデジ
タル変換された背面音声信号が入力され始めると、入力された背面音声信号を一時記憶す
る（ステップＳ５）。そして、ＣＰＵ１０は、背面マイク６からの音声が途切れたときを
キーワード入力が終了したときと判断し（ステップＳ６）、この一時記憶された背面音声
信号をキーワード音声信号としてキーワード登録メモリ１５に登録する（ステップＳ７）
。
【００５７】
このようにして、キーワード登録メモリ１５へのキーワード登録が行われ、以上でデジ
タルカメラ１の初期設定が完了する。尚、キーワード登録メモリ１５へのキーワード登録
は、操作キー８の設定／決定キーが押下されている間に入力された音声がＡ／Ｄコンバー
タ１３でデジタル変換された背面音声信号をキーワード音声信号として登録するというよ
うにしても良い。また、背面マイク６の代わりに前面マイク４からキーワードの音声入力
を行うようにしても構わない。
【００５８】
一方、ステップＳ２において、外部メモリ２１が装着されている場合、音声によりレリ
ーズを開始させるためのキーワード音声信号が、その外部メモリ２１に登録されているか
どうかを確認する（ステップＳ８）。
【００５９】
そして、外部メモリ２１にキーワード音声信号が登録されていない場合は、外部メモリ
２１へのキーワード登録処理に入り、先ず、ＣＰＵ１０は背面マイク６からの音声入力待
ち状態となる（ステップＳ９）。次に、ＣＰＵ１０は、背面マイク６から入力された撮影
者の音声、例えば、「はい、チーズ」、或いは「スタート」というようなキーワード音声
がＡ／Ｄコンバータ１３でデジタル変換された背面音声信号が入力され始めると、入力さ
れた背面音声信号を一時記憶する（ステップＳ１０）。そして、ＣＰＵ１０は、背面マイ
ク６からの音声が途切れたときをキーワード入力が終了したときと判断し（ステップＳ１
１）、この一時記憶された背面音声信号をキーワード音声信号として外部メモリ２１に登
録する（ステップＳ１２）。
【００６０】
このようにして、外部メモリ２１へのキーワード登録が行われる。尚、このとき、操作
キー８の設定／決定キーが押下されている間に入力された音声がＡ／Ｄコンバータ１３で
デジタル変換された背面音声信号をキーワード音声信号として登録するというようにして
も良い。また、背面マイク６の代わりに前面マイク４からキーワードの音声入力を行うよ
うにしても構わない。
【００６１】
そして、キーワード音声信号が外部メモリ２１に登録された後（ステップＳ１２）、ま
たは、ステップＳ８において、外部メモリ２１に既にキーワードが登録されていると確認
した場合は、次に、外部メモリ２１に設定情報が書き込まれているか否かを確認する（ス
テップＳ１３）。
【００６２】
外部メモリ２１に設定情報が書き込まれている場合は、その書き込まれている設定情報
に基づいてデジタルカメラ１の動作環境及び撮影条件の設定変更をするか否かを、例えば
、液晶表示器５に、”動作環境、撮影条件を設定変更しますか？ＹＥＳ／ＮＯ”のような
表示をして撮影者に問い合わせる（ステップＳ１４）。
【００６３】
このとき、撮影者は操作キー８を操作して設定変更するかどうかを回答し、設定変更す
るという回答の操作キー８のキー操作信号の入力があった場合、ＣＰＵ１０は外部メモリ
２１から読み出した設定情報に基づいてデジタルカメラ１の動作環境及び撮影条件の設定
変更処理を行い（ステップＳ１５）、以上でデジタルカメラ１の初期設定が完了する。
【００６４】
尚、外部メモリ２１に設定情報が書き込まれていない場合（ステップＳ１３）、または
、ステップＳ１４において、設定変更しないという意味の操作キー８のキー操作信号の入
力があった場合は、そのままデジタルカメラ１の初期設定が完了する。
【００６５】
次に、図４及び図５を参照してデジタルカメラ１の撮影時の動作を説明する。上述のよ
うにして初期設定を完了したデジタルカメラ１で撮影をする場合、撮影者は、撮影の状況
等に合わせて、デジタルカメラ１の動作環境及び撮影条件を撮影者の好みに合わせて変更
する場合がある。そこで、先ず、ＣＰＵ１０はデジタルカメラ１の動作環境及び撮影条件
の設定変更要求があるか否かを確認し（ステップＳ２１）、設定変更要求があった場合、
ＣＰＵ１０は撮影者の要求する変更内容に基づいてデジタルカメラ１の動作環境及び撮影
条件の設定変更処理を行う（ステップＳ２２）。
【００６６】
デジタルカメラ１の動作環境及び撮影条件の設定変更は、撮影者が液晶表示器５の設定
変更用の表示を参照しつつ、操作キー８の各キーを操作することにより行われるので、Ｃ
ＰＵ１０は操作キー８のキー操作信号から、設定変更要求があるか否か、及び、設定変更
内容を確認することができる。
【００６７】
そして、設定変更処理終了後、ＣＰＵ１０は、メモリリーダ／ライタ２０に外部メモリ
２１が装着されているかどうかを確認し（ステップＳ２３）、外部メモリ２１が装着され
ている場合は、設定変更された現在のデジタルカメラ１の動作環境及び撮影条件に設定す
るための設定情報を作成して外部メモリ２１へ書き込む（ステップＳ２４）。
【００６８】
このようにすることにより、デジタルカメラ１と同種類の他のカメラに、この設定情報
が書き込まれた外部メモリ２１を装着することにより、他のカメラの動作環境及び撮影条
件を、その初期設定時に希望に応じて、現在のデジタルカメラ１の動作環境及び撮影条件
と同じように設定することができ、他のカメラの設定を変更する手間を軽減することがで
きる。尚、デジタルカメラ１の動作環境及び撮影条件は、初期設定時だけでなく、撮影者
の変更要求があるときに、装着された外部メモリ２１に書き込まれた設定情報に基づいて
設定できるようにすることも可能である。
【００６９】
そして、外部メモリ２１への設定情報の書き込み終了後（ステップＳ２４）、または、
外部メモリ２１が装着されていない場合（ステップＳ２３）、または、ステップＳ２１に
おいて、設定変更要求がない場合、次に、撮影モードの変更要求があるか否かを確認し（
ステップＳ２５）、その要求があった場合は撮影者の要求に応じて撮影モードの変更処理
を行う（ステップＳ２６）。
【００７０】
この撮影モードの変更は、撮影者が液晶表示器５の撮影モード変更用の表示を参照しつ
つ、操作キー８の各キーを操作することにより行われるので、ＣＰＵ１０は操作キー８の
キー操作信号から、撮影モード変更があるか否か、及び、撮影モード変更内容を確認する
ことができる。
【００７１】
また、この撮影モードには、静止画を撮影するスチルモード、動画を撮影する動画モー
ド、撮影者が被写体にデジタルカメラ１を向けた状態に保持して撮影する通常モード、撮
影者自身が被写体になるなどの理由により、所定時間後にレリーズが行われるセルフタイ
マーモードがあり、常に、スチルモード、動画モードのいずれか一方、及び、通常モード
、セルフタイマーモードのいずれか一方が選択されるようになっている。
【００７２】
動画モードでレリーズが行われる場合は、レリーズ回路１７からの画像データが予め設
定された録画時間分、画像メモリ１６に保存される。そのとき、同時に、前面マイク３に
入力される音声等がＡ／Ｄコンバータ１２でデジタル変換された音声信号も画像メモリ１
６に保存される。尚、画像メモリ１６に保存される画像データ或いは音声信号には、ＣＰ
Ｕ１０により圧縮等の所定の信号処理が施される。
【００７３】
そして次に、撮影モードがセルフタイマーモードであるか否かを確認し（ステップＳ２
７）、セルフタイマーモードになっている場合は、レリーズボタン９が押下されたかどう
かを確認し（ステップＳ２８）、押下されていない場合は、前面マイク３にキーワードの
入力があったか否かが判断され（ステップＳ２９）、キーワード入力があった場合は、セ
ルフタイマーのカウントダウンに入り（ステップＳ３０）、カウントが０になったときに
レリーズが行われ（ステップＳ３１）、レリーズが行われた後はステップＳ２１に戻る。
【００７４】
このとき、キーワードの入力があったという判断は、メモリリーダ／ライタ２０に外部
メモリ２１が装着されていない場合は、ＣＰＵ１０がＡ／Ｄコンバータ１２からの前面音
声信号がキーワード登録メモリ１５に登録されているキーワード音声信号と同一であると
認識することにより行われ、メモリリーダ／ライタ２０に外部メモリ２１が装着されてい
る場合は、ＣＰＵ１０がＡ／Ｄコンバータ１２からの前面音声信号が外部メモリ２１から
読み出したキーワード音声信号と同一であると認識することにより行われる。
【００７５】
一方、キーワード入力がない場合は（ステップＳ２９）、そのままステップＳ２１に戻
る。また、レリーズボタン９が押下された場合は（ステップＳ２８）、セルフタイマーの
カウントダウンに入り（ステップＳ３０）、カウントが０になったときにレリーズが行わ
れる（ステップＳ３１）。
【００７６】
一方、セルフタイマーモードになっていない場合、即ち、通常モードの場合は（ステッ
プＳ２７）、レリーズボタン９が押下されたかどうかを確認し（ステップＳ３２）、押下
されていない場合は、背面マイク６にキーワードの入力があったか否かが判断され（ステ
ップＳ３３）、キーワード入力があった場合は、レリーズが行われ（ステップＳ３１）、
レリーズが行われた後はステップＳ２１に戻る。一方、キーワード入力がない場合は（ス
テップＳ３３）、そのままステップＳ２１に戻る。また、レリーズボタン９が押下された
場合も（ステップＳ３２）、レリーズが行われ（ステップＳ３１）、レリーズが行われた
後はステップＳ２１に戻る。
【００７７】
このとき、キーワードの入力があったという判断は、メモリリーダ／ライタ２０に外部
メモリ２１が装着されていない場合は、ＣＰＵ１０がＡ／Ｄコンバータ１３からの背面音
声信号がキーワード登録メモリ１５に登録されているキーワード音声信号と同一であると
認識することにより行われ、メモリリーダ／ライタ２０に外部メモリ２１が装着されてい
る場合は、ＣＰＵ１０がＡ／Ｄコンバータ１３からの背面音声信号が外部メモリ２１から
読み出したキーワード音声信号と同一であると認識することにより行われる。
【００７８】
以上説明したように本実施形態によれば、音声によるレリーズを行うことができる。こ
れにより、撮影者は、撮影モードが通常モードである場合、被写体に向けてデジタルカメ
ラ１を構えている時に、レリーズボタン９を押す代わりに、「はい、チーズ」、或いは「
スタート」というようなキーワード登録メモリ１５または外部メモリ２１に登録したキー
ワードを発声することにより、デジタルカメラ１にレリーズを行わせることができる。即
ち、レリーズボタン９を押下することなく、デジタルカメラ１にレリーズを行わせること
ができるので、撮影時の手ぶれの発生を軽減することができる。
【００７９】
また、この通常モードである場合、撮影者の発するキーワードが入力されるマイクは、
撮影者に対向しているデジタルカメラ１の背面に設けられている背面マイク６であるので
、被写体側に騒音源がある場合であっても、背面マイク６にはその騒音源からの騒音は入
力されにくくなり、撮影者の発する音声は入力されやすくなる。従って、撮影者の発する
音声がその騒音源からの騒音にかき消されるというようなことがなくなり、撮影者の発す
るキーワードを確実に判別することができるので、キーワードが発せられたときにレリー
ズを確実に行わせることができる。また、その騒音によって、誤ってレリーズが行われる
という誤動作が発生することもなくなる。
【００８０】
また、撮影モードがセルフタイマーモードである場合、被写体となる撮影者は、レリー
ズボタン９を押す代わりに、撮影者に対向しているデジタルカメラ１の前面に向かって、
「はい、チーズ」、或いは「スタート」というようなキーワード登録メモリ１５または外
部メモリ２１に登録したキーワードを発声することにより、デジタルカメラ１にセルフタ
イマーのカウントダウンを開始させ、カウントが０になったときにレリーズを行わせるこ
とができる。即ち、レリーズボタン９を押下することなく、且つ、遠隔制御器等を用いる
ことなく、デジタルカメラ１にセルフタイマーのカウントダウンを遠隔位置から開始させ
ることができるので、デジタルカメラ１のコストを上昇させることなく利便性を向上させ
ることができる。
【００８１】
また、このセルフタイマーモードである場合、撮影者の発するキーワードが入力される
マイクは、被写体に対向しているデジタルカメラ１の前面に設けられている前面マイク３
であるので、被写体側に位置する撮影者の発する音声は入力されやすくなる。従って、撮
影者の発するキーワードを判別することが容易となり、キーワードが発せられたときにセ
ルフタイマーのカウントダウンを開始させることが容易にできる。
【００８２】
また、レリーズを行わせることのできるキーワードは、デジタルカメラ１のメモリリー
ダ／ライタ２０に外部メモリ２１を装着した場合は、外部メモリ２１に書き込まれている
キーワード音声信号に基づくキーワードとなるので、デジタルカメラ１と同種類の他のカ
メラを使用する場合、前記他のカメラにキーワードを登録する作業をせずとも、外部メモ
リ２１を前記他のカメラのメモリリーダ／ライタ２０に装着することにより、前記他のカ
メラに撮影者の好みのキーワード音声によるレリーズを行わせることができる。即ち、前
記他のカメラへのキーワード登録の手間を軽減することができる。
【００８３】
また、デジタルカメラ１と同種類の他のカメラを使用する場合、外部メモリ２１を前記
他のカメラのメモリリーダ／ライタ２０に装着することにより、前記他のカメラの動作環
境、撮影条件の設定を外部メモリ２１に書き込まれている設定情報に基づいて行わせるこ
とができるので、前記他のカメラの動作環境及び撮影条件を撮影者の好みの設定に変更す
る設定変更の手間を軽減することができる。
【００８４】
尚、本実施形態のデジタルカメラ１にはレリーズボタン９が設けられ、従来のカメラの
レリーズ操作と同様に扱えるようにもしているが、以上説明したように、デジタルカメラ
１は音声によるレリーズ機能を備えているので、レリーズボタン９は必ずしも必要ではな
く、オプションとすることもできる。レリーズボタン９を備えない構造にすると、その分
のコストを低減することができる。
【００８５】
また、音声によりレリーズさせる場合であっても複雑な操作を必要としないので、他人
に依頼して撮影してもらう場合において、その他人に、撮影するときにレリーズボタンを
押す代わりに「はい、チーズ」、或いは「スタート」というようなキーワードを言って下
さいと依頼するだけで、操作を知らない他人でも容易に手ぶれが軽減された撮影をするこ
とができる。
【００８６】
尚、本実施形態のカメラは、被写体像をデジタル化し、画像データとしてメモリに記録
するデジタル式のカメラであるが、銀塩カメラの場合であっても本発明は適応可能である
。その場合、本実施形態のデジタルカメラ１のＣＣＤ１１が機械的なシャッタ、レリーズ
回路１７がその機械的なシャッタを駆動するシャッタ駆動回路、画像メモリ１６が銀塩フ
ィルムに対応する。
【００８７】
また、デジタルカメラの場合、画像メモリ１６は外部メモリ２１の中に含まれる構成に
することも可能である。また、本発明は上述の実施形態に限定されるものではなく、本発
明の趣旨を逸脱しない範囲において各部の構成等を適宜に変更して実施することも可能で
ある。
【図面の簡単な説明】
【００８８】
【図１】本発明の一実施形態に係るデジタルカメラの外観を示す斜視図である。
【図２】図１に示すデジタルカメラの構成を示すブロック図である。
【図３】図１に示すデジタルカメラの初期設定動作を示すフローチャートである。
【図４】図１に示すデジタルカメラの撮影時の動作の一部を示すフローチャートである。
【図５】図１に示すデジタルカメラの撮影時の動作の他の一部を示すフローチャートである。
【図６】従来のカメラでの手ぶれの発生を説明する図である。
【符号の説明】
【００８９】
１    デジタルカメラ（カメラ）
２    レンズ鏡筒
２ａ    撮影レンズ
３    前面マイク（第１のマイク）
４    採光窓
５    液晶表示器
６    背面マイク（第２のマイク）
７    ファインダ
８    操作キー（撮影モード切換キー、撮影モード切換手段）
９    レリーズボタン
１０    ＣＰＵ（制御手段）
１１    ＣＣＤ（光電変換手段）
１２    Ａ／Ｄコンバータ（第１のＡ／Ｄコンバータ）
１３    Ａ／Ｄコンバータ（第２のＡ／Ｄコンバータ）
１４    ファームウェアＲＯＭ
１５    キーワード登録メモリ（キーワード登録手段）
１６    画像メモリ（記録手段）
１７    レリーズ回路（レリーズ手段）
２０    メモリリーダ／ライタ
２０ａ    挿入口
２１    外部メモリ
【図１】
2005333581.tif 000003
【図２】
2005333581.tif 000004
【図３】
2005333581.tif 000005
【図４】
2005333581.tif 000006
【図５】
2005333581.tif 000007
【図６】
2005333581.tif 000008